【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
光源手段と、偏向手段と、前記光源手段から出射された光束を前記偏向手段に導光する入射光学手段と、前記偏向手段によって反射偏向された光束を被走査面上に結像させる走査光学手段と、を有するｆθ特性を備えた光走査装置であって、
前記走査光学手段は、第１のレンズ、第２のレンズからなり、前記第１のレンズは、前記偏向手段側に配置され、前記第２のレンズは、前記被走査面側に配置されており、
前記走査光学手段の光軸方向において前記偏向手段の偏向面から前記第２のレンズの出射面までの距離をｄ、前記被走査面上の有効走査幅をＷとしたとき、
ｄ／Ｗ≦０．２
なる条件を満足し、
前記第１のレンズは、主走査断面内において前記偏向手段側に凹面を向けたメニスカス状の正レンズであり、
前記第２のレンズは、主走査断面内において前記偏向手段側に凸面を向けたメニスカス状のレンズであり、前記第２のレンズの入射面の主走査断面内における形状が前記第２のレンズの光軸上からレンズ有効部の両端部へかけて凸から凹へ反転し、且つ、前記第２のレンズの光軸方向において前記第２のレンズのレンズ有効部の両端部でのレンズ面位置が前記第２のレンズの光軸上の面位置よりも前記偏向手段側に位置しており、
前記第１のレンズ、前記第２のレンズの主走査断面内におけるパワーを各々φ１、φ２としたとき、
φ２≦φ１／５
なる条件を満足することを特徴とする光走査装置。
【請求項２】
光源手段と、偏向手段と、前記光源手段から出射された光束を前記偏向手段に導光する入射光学手段と、前記偏向手段によって反射偏向された光束を被走査面上に結像させる走査光学手段と、を有するｆθ特性を備えた光走査装置であって、
前記走査光学手段は、第１のレンズ、第２のレンズからなり、前記第１のレンズは、前記偏向手段側に配置され、前記第２のレンズは、前記被走査面側に配置されており、
前記第１のレンズは、主走査断面内において前記偏向手段側に凹面を向けたメニスカス状の正レンズであり、
前記第２のレンズは、主走査断面内において前記偏向手段側に凸面を向けたメニスカス状のレンズであり、前記第２のレンズの入射面の主走査断面内における形状が前記第２のレンズの光軸上からレンズ有効部の両端部へかけて凸から凹へ反転し、且つ、前記第２のレンズの光軸方向において前記第２のレンズのレンズ有効部の両端部でのレンズ面位置が前記第２のレンズの光軸上の面位置よりも前記偏向手段側に位置しており、
前記第１のレンズ、前記第２のレンズの主走査断面内におけるパワーを各々φ１、φ２としたとき、
φ２≦φ１／５
なる条件を満足することを特徴とする光走査装置。
【請求項３】
前記第１のレンズ、第２のレンズは共に主走査断面内において非円弧なレンズであり、前記第１のレンズの入射面及び出射面は共に主走査断面内においてベース球面から前記被走査面側に変位した非円弧形状であり、前記第２のレンズの入射面及び出射面は共に主走査断面内においてベース球面から前記偏向手段側に変位した非円弧形状であることを特徴とする請求項１又は２記載の光走査装置。
【請求項４】
前記第１のレンズの入射面及び出射面と前記第２のレンズの出射面の主走査断面内における形状は、レンズ有効部の両端部での面位置が共に前記レンズの光軸上の面頂点の位置よりも前記レンズの光軸方向において前記偏向手段側に位置しており、前記第１のレンズ、第２のレンズの入射面及び出射面はレンズ有効部の両端部での曲率が共に負であることを特徴とする請求項１乃至３の何れか一項記載の光走査装置。
【請求項５】
主走査断面内において、前記第２のレンズの主平面は、前記走査光学手段の光軸方向において前記第１のレンズよりも前記偏向手段側に位置していることを特徴とする請求項１乃至４の何れか一項記載の光走査装置。
【請求項６】
前記走査光学手段のｆθ係数をｋ、前記被走査面上の有効走査幅をＷとしたとき、
ｋ／Ｗ≦０．６
なる条件を満足することを特徴とする請求項１乃至５の何れか一項記載の光走査装置。
【請求項７】
前記光源手段は複数の発光部を有することを特徴とする請求項１乃至６の何れか一項記載の光走査装置。
【請求項８】
請求項１乃至７の何れか一項記載の光走査装置と、前記光走査装置の被走査面に配置された感光体と、前記感光体上を光束が走査することによって形成された静電潜像をトナー像として現像する現像手段と、前記現像されたトナー像を用紙に転写する転写手段と、転写されたトナー像を用紙に定着させる定着手段とを備えたことを特徴とする画像形成装置。
【手続補正２】
【補正対象書類名】明細書
【補正対象項目名】００１９
【補正方法】変更
【補正の内容】
【００１９】
請求項１の発明の光走査装置は、
光源手段と、偏向手段と、前記光源手段から出射された光束を前記偏向手段に導光する入射光学手段と、前記偏向手段によって反射偏向された光束を被走査面上に結像させる走査光学手段と、を有するｆθ特性を備えた光走査装置であって、
前記走査光学手段は、第１のレンズ、第２のレンズからなり、前記第１のレンズは、前記偏向手段側に配置され、前記第２のレンズは、前記被走査面側に配置されており、
前記走査光学手段の光軸方向において前記偏向手段の偏向面から前記第２のレンズの出射面までの距離をｄ、前記被走査面上の有効走査幅をＷとしたとき、
ｄ／Ｗ≦０．２
なる条件を満足し、
前記第１のレンズは、主走査断面内において前記偏向手段側に凹面を向けたメニスカス状の正レンズであり、
前記第２のレンズは、主走査断面内において前記偏向手段側に凸面を向けたメニスカス状のレンズであり、前記第２のレンズの入射面の主走査断面内における形状が前記第２のレンズの光軸上からレンズ有効部の両端部へかけて凸から凹へ反転し、且つ、前記第２のレンズの光軸方向において前記第２のレンズのレンズ有効部の両端部でのレンズ面位置が前記第２のレンズの光軸上の面位置よりも前記偏向手段側に位置しており、
前記第１のレンズ、前記第２のレンズの主走査断面内におけるパワーを各々φ１、φ２としたとき、
φ２≦φ１／５
なる条件を満足することを特徴としている。
【手続補正３】
【補正対象書類名】明細書
【補正対象項目名】００２０
【補正方法】変更
【補正の内容】
【００２０】
請求項２の発明の光走査装置は、光源手段と、偏向手段と、前記光源手段から出射された光束を前記偏向手段に導光する入射光学手段と、前記偏向手段によって反射偏向された光束を被走査面上に結像させる走査光学手段と、を有するｆθ特性を備えた光走査装置であって、
前記走査光学手段は、第１のレンズ、第２のレンズからなり、前記第１のレンズは、前記偏向手段側に配置され、前記第２のレンズは、前記被走査面側に配置されており、
前記第１のレンズは、主走査断面内において前記偏向手段側に凹面を向けたメニスカス状の正レンズであり、
前記第２のレンズは、主走査断面内において前記偏向手段側に凸面を向けたメニスカス状のレンズであり、前記第２のレンズの入射面の主走査断面内における形状が前記第２のレンズの光軸上からレンズ有効部の両端部へかけて凸から凹へ反転し、且つ、前記第２のレンズの光軸方向において前記第２のレンズのレンズ有効部の両端部でのレンズ面位置が前記第２のレンズの光軸上の面位置よりも前記偏向手段側に位置しており、
前記第１のレンズ、前記第２のレンズの主走査断面内におけるパワーを各々φ１、φ２としたとき、
φ２≦φ１／５
なる条件を満足することを特徴としている。
【手続補正４】
【補正対象書類名】明細書
【補正対象項目名】００２１
【補正方法】変更
【補正の内容】
【００２１】
請求項３の発明は請求項１又は２の発明において、前記第１のレンズ、第２のレンズは共に主走査断面内において非円弧なレンズであり、前記第１のレンズの入射面及び出射面は共に主走査断面内においてベース球面から前記被走査面側に変位した非円弧形状であり、前記第２のレンズの入射面及び出射面は共に主走査断面内においてベース球面から前記偏向手段側に変位した非円弧形状であることを特徴としている。
【手続補正５】
【補正対象書類名】明細書
【補正対象項目名】００２２
【補正方法】変更
【補正の内容】
【００２２】
請求項４の発明は請求項１乃至３のいずれか１項の発明において、前記第１のレンズの入射面及び出射面と前記第２のレンズの出射面の主走査断面内における形状は、レンズ有効部の両端部での面位置が共に前記レンズの光軸上の面頂点の位置よりも前記レンズの光軸方向において前記偏向手段側に位置しており、前記第１のレンズ、第２のレンズの入射面及び出射面はレンズ有効部の両端部での曲率が共に負であることを特徴としている。
【手続補正６】
【補正対象書類名】明細書
【補正対象項目名】００２３
【補正方法】変更
【補正の内容】
【００２３】
請求項５の発明は請求項１乃至４のいずれか１項の発明において、主走査断面内において、前記第２のレンズの主平面は、前記走査光学手段の光軸方向において前記第１のレンズよりも前記偏向手段側に位置していることを特徴としている。
【手続補正７】
【補正対象書類名】明細書
【補正対象項目名】００２４
【補正方法】変更
【補正の内容】
【００２４】
請求項６の発明は請求項１乃至５のいずれか１項の発明において、前記走査光学手段のｆθ係数をｋ、前記被走査面上の有効走査幅をＷとしたとき、
ｋ／Ｗ≦０．６
なる条件を満足することを特徴としている。
【手続補正８】
【補正対象書類名】明細書
【補正対象項目名】００２５
【補正方法】変更
【補正の内容】
【００２５】
請求項７の発明は請求項１乃至６のいずれか１項の発明において、前記光源手段は複数の発光部を有することを特徴としている。
【手続補正９】
【補正対象書類名】明細書
【補正対象項目名】００２６
【補正方法】変更
【補正の内容】
【００２６】
請求項８の発明の画像形成装置は、請求項１乃至７の何れか一項記載の光走査装置と、前記光走査装置の被走査面に配置された感光体と、前記感光体上を光束が走査することによって形成された静電潜像をトナー像として現像する現像手段と、前記現像されたトナー像を用紙に転写する転写手段と、転写されたトナー像を用紙に定着させる定着手段とを備えたことを特徴としている。